(57)【要約】      （修正有）【課題】伐根等のように硬くて太いものも切削、粉砕することができる回転刃を提供する。【解決手段】刃部２２の正面２２ａ及び背面２２ｂと、刃部２２の正面先端から刃部２２の背面先端までの底面２２ｃとをそれぞれ平らに形成した上、刃部２２の背面２２ｂの先端近傍に彎曲部２５を形成して、刃部２２の正面側先端に刈払い用の刃２６を形設し、刃部２２の背面側先端に地拵え用の刃２７を形設した回転刃２１は、灌木，笹，根曲り竹，雑草等のように軟らかいものや、硬くても細いものをフレールモーアを正転させて刈払い用の刃で刈り払う作業と、伐根等のように硬くて太いものをフレールモーアを逆転させて地拵え用の刃で切削、粉砕する作業とを１台の自走式ブッシュカッターで連続して行うことができるようになって、灌木，笹，根曲り竹，雑草，伐根等の除去作業が迅速に行え、設備費を軽減できる。【選択図】図１
2004351394.tif 000002
【特許請求の範囲】
【請求項１】
焼入れした刃部を柄部の先端に一体に設けると共に、柄部の側面末端部に中空軸を突設した回転刃において、
前記刃部の正面及び背面と、前記刃部の正面先端から前記刃部の背面先端までの底面とをそれぞれ平らに形成した上、前記刃部の背面の先端近傍に彎曲部を形成して、前記刃部の正面側先端に刈払い用の刃を形設し、前記刃部の背面側先端に地拵え用の刃を形設したことを特徴とする回転刃。
【発明の詳細な説明】
【０００１】
【発明の属する技術分野】
本発明は、灌木，笹，根曲り竹，雑草等を刈り払う作業と、伐根等を切削、粉砕して地拵えする作業とができる回転刃に関するものである。
【０００２】
【従来の技術】
図３（ａ）は従来の回転刃の側面図、図３（ｂ）は図３（ａ）の回転刃の正面図で、１は焼入れした刃部２を柄部３の先端に一体に設けると共に、柄部３の図中側面末端部に中空軸４を突設した回転刃で、この回転刃１は、刃部２の正面２ａ及び背面２ｂを平らに成形し、刃部２の底面２ｃを図中下方に円弧状に突出させて成形することにより、刃部２の正面側及び背面側の先端にそれぞれ刈払い用の刃５を形設した、所謂トマホーク形のものである。
【０００３】
図４（ａ）は従来の回転刃を取り付けたフレールモーアの正面図、図４（ｂ）は図４（ａ）において破線で囲んだ部分を拡大した断面図、図５は図４（ａ）のフレールモーアの側面図で、６は、複数の回転板７を所定の間隔で垂直に並設した回転軸８と、この回転軸８の両端部に取り付けた軸受９と、回転軸８の一端に取り付けたプーリ１０とからなるフレールモーアである。
【０００４】
１１は両端にボルト１１ａを形成し、円筒状の無給油軸受１２を外装した取付軸、１３はワッシャ１４を介してボルト１１ａに螺着する溝付きのナット、１５はナット１３を螺着したボルト１１ａの先端部に貫通させてナット１３の脱落を阻止する割りピンで、２つの回転刃１は、図４（ｂ）に示したように背中合せにするか或いは図４（ａ）のフレールモーア６の上部に示したように向かい合わせにするかして２つの回転板７の周端部の間に配置した上、回転刃１の中空軸４と２つの回転板７とに貫通させた取付軸１１のボルト１１ａにナット１３を螺着させて割りピン１５を取付軸１１の両端に取り付けることにより、２つの回転板７の周端部の間に回動自在に装着される。
【０００５】
図６はフレールモーアを作業機に装備した自走式ブッシュカッターの側面図で、１６は昇降スライド装置１７を前面に装備した自走式ブッシュカッター、１８は昇降スライド装置１７によって上下左右に移動する作業機、１９は自走式ブッシュカッター１６の動力源から加圧供給される油によって回転駆動される油圧モータで、この油圧モータ１９は作業機１８の上部に装備され、フレールモーア６の回転軸８は自走式ブッシュカッター１６の進行方向と直交するようにして作業機１８のフレーム１８ａの下部に軸受９を介して取り付けられる。２０は油圧モータ１９の回転力をフレールモーア６のプーリ１０に伝達するベルトである。
【０００６】
そこで、油圧モータ１９が停止して、フレールモーア６が回転していなければ、取付軸１１に回動自在に取り付けられた全ての回転刃１は、自重により、下方に垂れ下がる。
【０００７】
しかし、油圧モータ１９が駆動されて、フレールモーア６が回転すると、全ての回転刃１は、図５に示すように遠心力で刃部２をフレールモーア６の放射方向に振り出した状態で矢印Ａ方向（時計方向）に回転する。
【０００８】
そこで、フレールモーア６を図５において矢印Ａ方向（図中時計方向）に回転させながら、昇降スライド装置１７によって作業機１８の高さや左右の位置を調節しつつ、自走式ブッシュカッター１６を図６において前進（図中左方向に移動）させると、地表に生えている灌木，笹，根曲り竹，雑草等は回転刃１の刈払い用の刃５によって所望の高さに刈り払われる。
【０００９】
【非特許文献１】
スリーエム研究会編集，「最新・林業機械ハンドブック」，スリーエム研究会発行，１９９１年３月２０日，ｐ．６１４−６１７
【００１０】
【発明が解決しようとする課題】
しかしながら、回転刃１は、灌木，笹，根曲り竹，雑草等のように軟らかいものや、硬くても細いものは刈払い用の刃５によって刈り払うことができる上、刈払い用の刃５が石に当たっても、刃が欠けないものの、刃部２の平らな正面２ａが伐根等のように硬くて太いものに当たると、回転刃１が撥ね返されて、伐根等を切削、粉砕できないという課題があった。
【００１１】
本発明は、このような課題を解決するためになされたもので、灌木，笹，根曲り竹，雑草等のように軟らかいものや、硬くても細いものが刈り払える上、伐根等のように硬くて太いものも切削、粉砕することができる回転刃を提供するものである。
【００１２】
【課題を解決するための手段】
焼入れした刃部を柄部の先端に一体に設けると共に、柄部の側面末端部に中空軸を突設した回転刃において、刃部の正面及び背面と、刃部の正面先端から刃部の背面先端までの底面とをそれぞれ平らに形成した上、刃部の背面の先端近傍に彎曲部を形成して、刃部の正面側先端に刈払い用の刃を形設し、刃部の背面側先端に地拵え用の刃を形設することにより、灌木，笹，根曲り竹，雑草等のように軟らかいものや、硬くても細いものをフレールモーアを正転させて刈払い用の刃で刈り払う作業と、伐根等のように硬くて太いものをフレールモーアを逆転させて地拵え用の刃で切削、粉砕する作業とを１台の自走式ブッシュカッターで連続して行うことができるので、灌木，笹，根曲り竹，雑草，伐根等の除去作業が迅速に行えるようになると共に、設備費を軽減することができる。
【００１３】
【発明の実施の形態】
以下、本発明の実施の形態について、図面を参照しながら説明する。なお、全ての図面において同一符号のものは同一部分を示す。
【００１４】
図１（ａ）は本発明の回転刃の側面図、図１（ｂ）は図１（ａ）の回転刃の正面図、図１（ｃ）は図１（ａ）の回転刃の背面図である。
【００１５】
２１は焼入れした刃部２２を柄部２３の先端に一体に設けると共に、柄部２３の図中側面末端部に中空軸２４を突設した回転刃で、この回転刃２１は、刃部２２の正面２２ａ及び背面２２ｂと、刃部２２の正面先端から刃部２２の背面先端までの底面２２ｃとをそれぞれ平らに形成した上、刃部２２の背面２２ｂの先端近傍に彎曲部２５を形成することにより、刃部２２の正面側先端に刈払い用の刃２６を形設し、刃部２２の背面側先端に地拵え用の刃２７を形設した、所謂トマホーク形のものである。
【００１６】
この回転刃２１は、従来の回転刃１と同様に、２つの回転板７の周端部の間に取付軸１１等によって回動自在に装着される。
【００１７】
そこで、油圧モータ１９を停止させて、フレールモーア６を回転させなければ、全ての回転刃２１は、自重により、正面２２ａを作業機１８の前方（図６において左方向）に向けた状態で、下方に垂れ下がる。
【００１８】
しかし、油圧モータ１９が駆動されて、フレールモーア６が回転すると、全ての回転刃２１は、図２に示すように遠心力で刃部２２をフレールモーア６の放射方向に振り出した状態で、フレールモーア６と共に回転する。
【００１９】
そこで、油圧モータ１９を正転させて、フレールモーア６を図２において矢印Ａ方向（図中時計方向）に正転させながら、昇降スライド装置１７によって作業機１８の高さや左右の位置を調節しつつ、自走式ブッシュカッター１６を図６において前進（図中左方向に移動）させると、灌木，笹，根曲り竹，雑草等のように軟らかいものや、硬くても細いものを慣性力を利用した切削力によって回転刃２１の刈払い用の刃２６で叩き切る。
【００２０】
又、伐根等のように硬くて太いものがある場合には、油圧モータ１９を逆転させて、フレールモーア６を図２において矢印Ｂ方向（図中反時計方向）に逆転させながら、自走式ブッシュカッター１６を図６において後進（図中右方向）させると、伐根等のように硬くて太いものを慣性力を利用した切削力によって回転刃２１の地拵え用の刃２７で切削、粉砕する。
【００２１】
即ち、本発明の回転刃２１を用いることにより、灌木，笹，根曲り竹，雑草等のように軟らかいものや、硬くても細いものをフレールモーア６を正転させて刈払い用の刃２６で刈り払う作業と、伐根等のように硬くて太いものをフレールモーア６を逆転させて地拵え用の刃２７で切削、粉砕する作業とを１台の自走式ブッシュカッター１６で連続して行うことができるようになる。
【００２２】
【発明の効果】
以上説明したように、本発明によれば、刃部の正面及び背面と、刃部の正面先端から刃部の背面先端までの底面とをそれぞれ平らに形成した上、刃部の背面の先端近傍に彎曲部を形成して、刃部の正面側先端に刈払い用の刃を形設し、刃部の背面側先端に地拵え用の刃を形設することにより、灌木，笹，根曲り竹，雑草等のように軟らかいものや、硬くても細いものをフレールモーアを正転させて刈払い用の刃で刈り払う作業と、伐根等のように硬くて太いものをフレールモーアを逆転させて地拵え用の刃で切削、粉砕する作業とを１台の自走式ブッシュカッターで連続して行うことができるので、灌木，笹，根曲り竹，雑草，伐根等の除去作業が迅速に行えるようになると共に、設備費を軽減することができる。
【図面の簡単な説明】
【図１】（ａ）は本発明の回転刃の側面図、（ｂ）は（ａ）の回転刃の正面図、（ｃ）は（ａ）の回転刃の背面図
【図２】本発明の回転刃を取り付けたフレールモーアの側面図
【図３】（ａ）は従来の回転刃の側面図、（ｂ）は（ａ）の回転刃の正面図
【図４】（ａ）は従来の回転刃を取り付けたフレールモーアの正面図、（ｂ）は（ａ）において破線で囲んだ部分を拡大した断面図
【図５】従来の回転刃を取り付けたフレールモーアの側面図
【図６】フレールモーアを作業機に装備した自走式ブッシュカッターの側面図
【符号の説明】
２１  回転刃
２２  刃部
２２ａ  正面
２２ｂ  背面
２２ｃ  底面
２３  柄部
２４  中空軸
２５  彎曲部
２６  刈払い用の刃
２７  地拵え用の刃
【図１】
2004351394.tif 000003
【図２】
2004351394.tif 000004
【図３】
2004351394.tif 000005
【図４】
2004351394.tif 000006
【図５】
2004351394.tif 000007
【図６】
2004351394.tif 000008